(57)【要約】【課題】テレビなどのＡＶ機器に人感センサを取り付け、通常モードと節電モードを設定して、それぞれのモードで人感センサの機能を働かせることによって、きめ細かな節電効果を達成すること。【解決手段】人の存在を感知する人感センサが設置され、手動で電源をオフし得る通常モードと節電効果を奏し得る節電モードとが設定された人感センサ機能付きＡＶ機器であって、節電モードが設定された場合（Ｓ４、Ｓ１１）、人感センサが規定された所定時間だけ人の存在を検知できないときには（Ｓ１２，Ｓ１３）、自動的に待機モードに切り替えられ（Ｓ１４）、待機モードが規定された所定時間だけ経過すれば（Ｓ１５）電源を自動的にオフすること（Ｓ１６）。また、通常モードが設定された場合（Ｓ５）、人感センサが規定された所定時間だけ人の存在を検知できないときには自動的に節電モードに切り替えられる（Ｓ６，Ｓ７，Ｓ１０）。【選択図】図２
2007096462.tif 000002
【特許請求の範囲】
【請求項１】
人の存在を感知する人感センサが設置され、手動で電源をオフし得る通常モードと節電効果を奏し得る節電モードとが設定された人感センサ機能付きＡＶ機器であって、
前記節電モードが設定された場合、前記人感センサが規定された所定時間だけ人の存在を検知できないときには自動的に待機モードに切り替えられ、
前記待機モードが規定された所定時間だけ経過すれば電源を自動的にオフする
ことを特徴とする人感センサ機能付きＡＶ機器。
【請求項２】
請求項１において、
前記通常モードが設定された場合、前記人感センサが規定された所定時間だけ人の存在を検知できないときには自動的に前記節電モードに切り替えられる
ことを特徴とする人感センサ機能付きＡＶ機器。
【請求項３】
請求項１または２において、
前記節電モードから前記待機モードに切り替えられ際に、または前記待機モードから電源の自動的オフになる際に、または前記通常モードから前記節電モードに切り替えられる際に、前記規定された所定時間は、予め任意に設定された時間または或る値に固定された一定時間である
ことを特徴とする人感センサ機能付きＡＶ機器。
【請求項４】
請求項１，２または３において、
前記節電モードが設定されて前記ＡＶ機器の作動中に前記人感センサが人の存在を検知しているときに、または前記待機モードに自動切り替え後であって前記規定された所定時間内であるときに、手動で電源をオフし得る
ことを特徴とする人感センサ機能付きＡＶ機器。
【発明の詳細な説明】
【技術分野】
【０００１】
本発明は、通常モードと節電モードの設定機能を有し、節電モード時には任意の設定時間で自動的に待機モードや自動的に電源オフする機能を備えたテレビ等のＡＶ機器に関する。
【背景技術】
【０００２】
従来、テレビなどのＡＶ機器の電源を入れたり、消したり、待機モードにするには、手動による手段、あるいはタイマーを設定することで決まった時間に自動で実行される手段がある。通常、ＡＶ機器の使用においては、外出する時など、長時間ＡＶ機器から離れる際には意識的にＡＶ機器の電源をオフにする。しかし、家にいる間でＡＶ機器を視聴している時に、一定時間ＡＶ機器の傍から離れる際には、電源を点けたままにすることがあり、ＡＶ機器を視聴していないにもかかわらず、無駄に電力を消費していた。そのため、電源自動制御モードを設けることで、ＡＶ機器近くに人がいないと判断すると待機モードに切り換えることで無駄な電力消費を抑えるようにしていた。
【０００３】
人感センサ付きＡＶ機器の従来例として、ＴＶ視聴中に電源をオフせずに席を離れたとき、一定時間経過後に動作待機モードに切り替えるような技術が提案されている（例えば、特許文献１を参照）。この特許文献１はテレビジョン（以下、ＴＶと称する）電源制御に関するものであり、図３を参照しながらその動作を説明する。図３は従来技術に関する人感センサ付きテレビジョンの電源制御装置の構成を示す図である。
【０００４】
図３において、視聴者を感知するセンシング部１７と、センシング部１７から感知された信号を論理レベルに変換し、不在信号を出力する駆動部１８と、不在検出イネーブル信号と駆動部１８の不在信号とにより不在検出信号を出力する論理部１９と、電源自動制御モード時に論理部１９の不在検出信号により電源供給部２１およびディスプレイ２３の操作を偏向させる偏向部２２を制御し、ＴＶを動作待機モードに切り換える制御部２０と、から構成される。
【０００５】
ここで、センシング部１７は人体から発散される遠赤外線を感知する遠赤外線センサ１７から構成され、視聴者の有無を検出する。駆動部１８はセンシング部１７から感知された弱信号を増幅して論理部１８でこれを感知できるようにする。ここで、電源自動制御モードが設定されていないと、不在検出可否に係わりなしに通常のＴＶと同じく正常動作が行われる。一方、上述したようにＴＶ視聴中に視聴者が電源自動制御モードを設定すると、視聴者の不在が設定時間以上続くと、ＴＶは動作待機モードを行う。
【特許文献１】特開平６−７８２４６号公報
【発明の開示】
【発明が解決しようとする課題】
【０００６】
しかしながら、上記特許文献１に示されているように待機モード（テレビの場合に、例えば映像表示と音声出力が停止）になっても完全に電源が消されることはないのであり、家にいてＡＶ機器の電源を付けたまま、ＡＶ機器のそばを離れた時には待機モードに切り替わって節電状態となるのであるが、ときには、ＡＶ機器が待機モードになったまま外出してしまい、待機モードのまま電源が切れずに日数が経てばその分だけ、電力は消費されることになるという課題がある。
【０００７】
本発明の目的は、テレビなどのＡＶ機器に人感センサを取り付け、通常モードと節電モードを設定して、それぞれのモードで人感センサの機能を働かせることによって、きめ細かな節電効果を達成することのできる人感センサ機能付きＡＶ機器を提供することにある。
【課題を解決するための手段】
【０００８】
前記課題を解決するために、本発明は主として次のような構成を採用する。  
人の存在を感知する人感センサが設置され、手動で電源をオフし得る通常モードと節電効果を奏し得る節電モードとが設定された人感センサ機能付きＡＶ機器であって、
前記節電モードが設定された場合、前記人感センサが規定された所定時間だけ人の存在を検知できないときには自動的に待機モードに切り替えられ、
前記待機モードが規定された所定時間だけ経過すれば電源を自動的にオフする構成とする。
【０００９】
また、前記人感センサ機能付きＡＶ機器において、前記通常モードが設定された場合、前記人感センサが規定された所定時間だけ人の存在を検知できないときには自動的に前記節電モードに切り替えられる構成とする。
【発明の効果】
【００１０】
本発明に係る人感センサ機能付きＡＶ機器によると、ユーザが設定した任意の時間に応じて、通常モードから節電モードに設定機能を自動的に切り替えたり、また、節電モードの設定時において、待機モードへ自動的に切り替えたり、待機モードから自動的に電源オフを制御することで、環境に配慮し、無駄な電力の消費を抑えることができる。
【発明を実施するための最良の形態】
【００１１】
本発明の実施形態に係る人感センサ機能付きＡＶ機器について、図１と図２を参照しながら以下詳細に説明する。図１は本発明の実施形態に係る人感センサ機能付きＡＶ機器の外観を示す図である。図２は本実施形態に係る人感センサ機能付きＡＶ機器の動作手順を示すフローチャートである。
【００１２】
図１と図２において、１は人感センサ（赤外線感知器、超音波感知器など）、２はＡＶ機器、Ｓ３はＡＶ機器の電源ＯＮ処理、Ｓ４は通常モード設定又は節電モード設定の判断、Ｓ５，Ｓ８，Ｓ１１はユーザの視聴状態、Ｓ６，Ｓ１２は人感センサによる人の存在の判断、Ｓ７は節電モードに切り替わるための設定時間の判断、Ｓ９は手動電源ＯＦＦ処理、Ｓ１０は節電モードへの切り替え処理、Ｓ１３は待機モードに切り替わるための設定時間の判断、Ｓ１４は待機モード設定、Ｓ１５は自動電源ＯＦＦのための設定時間の判断、Ｓ１６は自動電源ＯＦＦ処理、をそれぞれ表す。なお、Ｓ３におけるＳはステップのことであり、Ｓ３はステップ３を表す。
【００１３】
図１は人感センサ１がＡＶ機器２に設置された人感センサ機能付きＡＶ機器の構成例を示す。図２は通常モード設定時の動作および節電モード設定時の動作の流れを示す。
【００１４】
通常モード設定時においては、まず、ユーザがＡＶ機器の電源を入れ（Ｓ３）、通常モードを決定し（Ｓ４）、ＡＶ機器を視聴することになる（Ｓ５）。通常モードにおいてもＡＶ機器２に設置している人感センサ１が人の存在を感知するよう働いている。ここで、人の存在が検知されれば（Ｓ６）、ユーザがＡＶ機器２をそのまま視聴していることになり、ユーザがＡＶ機器の視聴終了後（Ｓ８）、ユーザ自身がＡＶ機器の電源を消すことになる（Ｓ９）。
【００１５】
一方、Ｓ６（ステップ６）において人の存在を検知しない時には、節電モードに切り替えるための任意の時間をあらかじめ設定しておくことで、任意の時間になれば（Ｓ７）、自動で節電モードに切り替えを行う（Ｓ１０）。節電モードの動作については、後述する。また、Ｓ７において、人感センサ１が人の存在を検知し、節電モードへ自動で切り替わるための任意の時間（任意の時間経過でもよいし、任意の時刻設定でもよい）にならなければ、節電モードに切り替わることがないため、Ｓ８にてユーザが視聴終了後、ユーザ自身がＡＶ機器の電源を消すことになる（Ｓ９）。
【００１６】
次に、節電モード設定時の動作について説明する。節電モード設定時においては、ユーザがＡＶ機器の電源を入れ（Ｓ３）、Ｓ４（ステップ４）において節電モードを決定し、ＡＶ機器を視聴することになる（Ｓ１１）。そして、Ｓ１２において人の存在を人感センサ１が検知しない時には、待機モードに切り替えるための任意の時間をあらかじめ設定しておくことで、任意の時間になれば（Ｓ１３）、待機モードになる（Ｓ１４）。さらに、自動で電源を消すための任意の時間をあらかじめ設定しておくことで、設定した時間になれば（Ｓ１５）、自動で電源を消すことになる（Ｓ１６）。
【００１７】
次に、Ｓ１２において人感センサ１が人の存在を検知したとき、また、Ｓ１３において人感センサ１が人の存在を検知せずに待機モードへ切り替わるための任意の時間にならないとき（ユーザが一度離席して任意の時間前に席に戻った場合）、また、待機モード設定後であってＳ１５において自動で電源を消すための任意の時間にならないときには、Ｓ９（ステップ９）でユーザ自身がＡＶ機器の電源を消すことになる。
【００１８】
さらに、ユーザが通常モード時において通常モードから節電モードへの切り替え時間（Ｓ７を参照）、節電モード時の待機モードへの切り替え時間（Ｓ１３を参照）や自動で電源を消すための任意の時間（Ｓ１５を参照）を設定しなくても、ある一定の時間、人の存在を検知しない時には、自動で節電モードや待機モードに切り替えたり、自動で電源を消したりするような機能を奏させることも可能である。
【００１９】
以上説明したように、本発明の実施形態の特徴は、ＡＶ機器に人感センサー機能を付け、通常モードおよび節電モードを設定し、これを切り替えることで、通常モード時には、通常の使用と同様に手動で電源を入れたり消したりするが（人感センサの働きで通常モードから節電モードへの自動切り替えも可能）、一方、節電モード時には、人感センサーが働き、自動で待機モードや電源を消したりすることができる。このように、人感センサー機能を付けることで、人を感知した時にはＡＶ機器の電源が自動で入り、一定時間人を感知しない時には、自動で待機モードや電源を消す機能を持つことで節電効果が顕著となる。
【００２０】
敷衍して本発明の実施形態を説明すると、ＡＶ機器に人感センサ機能を付け、また、通常モードと節電モードの設定機能を付けることで、ユーザがＡＶ機器を視聴する際にモードを決定することができる。節電モードを設定した時には、ＡＶ機器の電源を付けたまま、ＡＶ機器のそばから離れた時に、任意の時間が経過すれば待機モードになり、さらに、時間が経過すれば電源を消すことで消費電力を抑えることができる。一方、通常モードを設定した時には、通常の使用手段として、手動でＡＶ機器の電源を点けたり消したりする。加えて、通常モード設定時においても、ＡＶ機器から離れることがあり、その際には、あらかじめユーザが設定した任意の時間を経過すれば、人感センサの働きで自動的に通常モードから節電モードに切り替わり、節電モードの機能が働くことで、その後も、ＡＶ機器から離れている時間が経ったとしても消費電力を抑えることができる機能を有することで、環境に配慮した人感センサ機能付きＡＶ機器を提供することができる。
【図面の簡単な説明】
【００２１】
【図１】本発明の実施形態に係る人感センサ機能付きＡＶ機器の外観を示す図である。
【図２】本実施形態に係る人感センサ機能付きＡＶ機器の動作手順を示すフローチャートである。
【図３】従来技術に関する人感センサ付きテレビジョンの電源制御装置の構成を示す図である。
【符号の説明】
【００２２】
１  人感センサ
２  ＡＶ機器
Ｓ３  ＡＶ機器の電源ＯＮ処理
Ｓ４  通常モード設定又は節電モード設定の判断
Ｓ５，Ｓ８、Ｓ１１  ユーザの視聴状態
Ｓ６，Ｓ１２  人感センサによる人の存在の判断
Ｓ７  節電モードに切り替わるための設定時間の判断
Ｓ９  手動電源ＯＦＦ処理
Ｓ１０  節電モードへの切り替え処理
Ｓ１３  待機モードに切り替わるための設定時間の判断
Ｓ１４  待機モード設定
Ｓ１５  自動電源ＯＦＦのための設定時間の判断
Ｓ１６  自動電源ＯＦＦ処理
１７  視聴者を感知するセンシング部
１８  センシング部からの感知信号を論理レベルに変換して不在信号を出力する駆動部
１９  不在検出イネーブル信号と駆動部の不在信号とにより不在検出信号を出力する論理部
２０  ＴＶを動作待機モードに切り換える制御部
２１  電源自動制御モード時に論理部の不在検出信号による電源供給部
２２  ディスプレイ２３の操作を偏向させる偏向部
２３  ディスプレイ
【図１】
2007096462.tif 000003
【図２】
2007096462.tif 000004
【図３】
2007096462.tif 000005